(57)【要約】【目的】建物屋根・天井等に換気通気用空間部を設けて、断熱・遮熱効果をもたらす。【構成】アルミ薄板を貼着等固着した断熱発泡材と、屋根ふき用の野地板と、複数の野縁と、適宜間隔を有する複数の垂木と、天井用の板と、から成る。断熱発泡材を、垂木に、野地板との間に適宜間隙を有するよう固着する。又、天井板を、断熱発泡材の下面側に適宜間隔を有して設置された野縁を介し前記断熱発泡材と固設させる。【選択図】　　図１
2004036255.tif 000002
【特許請求の範囲】
【請求項１】
建物屋根・天井等に使用される断熱・遮断構造であって、
上下両面全部にアルミ薄板を貼着等固着した適宜厚さを有する断熱発泡材と、
屋根ふき用の野地板と、
天井面を形成するための、適宜間隔を有する複数の野縁と、
適宜間隔を有する複数の垂木と、
天井用の板と、
から成り、
前記断熱発泡材を、前記垂木に、前記野地板との間に適宜間隙を有するよう固着し、
又、
前記天井板を、前記断熱発泡材の下面に適宜間隔を有して設置された野縁を介し前記断熱発泡材と固設させて、
前記断熱発泡材と野地板、又、前記断熱発泡材と天井板、の双方に、間隙を積極的に設けたこと、
を特徴とする断熱・遮熱構造。
【請求項２】
前記野縁の高さを充分にとることにより、前記断熱発泡材と前記天井板の間の間隙を充分な高さのものとすること、
を特徴とする請求項１記載の断熱・遮熱構造。
【請求項３】
前記断熱発泡材の上面のみに前記アルミ薄板を貼着等固着したこと、
を特徴とする請求項１記載の断熱・遮熱構造。
【請求項４】
断熱発泡材の両面又は片面に予めスリット状の縮み加工を設けてあること、
を特徴とする請求項１又は３記載の断熱・遮熱構造。
【発明の詳細な説明】
【０００１】
【発明の属する技術分野】
本発明は、新建材の開発に係り、建物断熱・遮熱構造に関するものである。
【０００２】
【従来の技術】
従来より、例えば木工事の屋根建築において、軒天から吸引した空気を棟に形成した通気孔から排出し、小屋裏の高温空気を屋外に排出するようにした棟換気式の屋根構造があるが、この種の棟換気工法は、一般には軒裏から小屋に進入した空気を該棟通気孔から排出するものであって、換気通路として小屋裏を使用する場合は屋根構造の下に天井構造を構成する必要があった。
【０００３】
【発明が解決しようとする課題】
このため、上記例で云えば、小屋伏せの造作が複雑になり、換気通路を確保しつつ屋根構造直下の空間を、下部の室内空間と一体として構成することができないということ、また結果的に材料及び工数が増大して建築費用が高騰するため棟換気が普及しない等の問題を有しており、工法が簡単になり、且つ内装下地材も兼用可能になる断熱パネルであって棟換気構造を持った建築材料が要望されていた。
【０００４】
本発明は上記要望に鑑みてなされたものであり、野地板又は野縁を介しての天井板と棟換気用通路及び断熱構造が一体になり、野地板又は野縁を介しての天井板の組み付けによって軒天と棟通気孔を連通する通気路が構成され、また高性能断熱構造が構成される新規構造の換気通路付き高断熱屋根用パネルを提供することを目的とするものである。
【０００５】
【課題を解決するための手段】
本発明に係る断熱・遮熱構造は、建物屋根・天井等に使用される断熱・遮断構造であって、上下両面全部にアルミ薄板を貼着等固着した適宜厚さを有する断熱発泡材と、屋根ふき用の野地板と、天井面を形成するための、適宜間隔を有する複数の野縁と、適宜間隔を有する複数の垂木と、天井用の板と、から成り、前記断熱発泡材を、前記垂木に、前記野地板との間に適宜間隙を有するよう固着し、又、前記天井板を、前記断熱発泡材の下面に適宜間隔を有して設置された野縁を介し前記断熱発泡材と固設させて、前記断熱発泡材と野地板、又、前記断熱発泡材と天井板、の双方に、間隙を積極的に設けたことを要旨とするものである。
【０００６】
また前記野縁の高さを、一般的に採用されているものより大きくすることも好もしい。
【０００７】
更に、前記断熱発泡材の上面にのみ、アルミ薄板を固着することも可能である。
【０００８】
又、上記断熱発泡材には、両面又は片面に、予めスリット状の縮み加工を設けておくことも更に好ましい。
【０００９】
上記構成になる断熱・遮熱構造は、屋根材敷設用野地合板又は野縁を介しての天井板と断熱構造が一体に構成してあり、該断熱構造が野地合板又は野縁を介しての天井板と通路を形成するように離間配置してあるため、野地合板乃至天井板を架設すると棟換気用の換気通路が構築され、また断熱層も構成される。
【００１０】
【発明の実施の形態】
以下、本発明に係る断熱・遮熱構造実施の形態を図１乃至図５に従って説明する。
図１は換気通路付き高断熱屋根用パネルを使用した屋根構造を示す、一部切欠した要部拡大図である。
【００１１】
換気通路付き高断熱屋根用パネルは、適宜単位幅と長さを持った屋根材敷設用野地合板２と、該野地合板２の裏面側に換気通路Ｇ１を隔して離間並設した合成樹脂発泡材からなり、該合成樹脂発泡材は上下両面にアルミ薄板ａ，ｂを貼着等固着した断熱板１の態様を持つ。又、該断熱板１裏面側と天井板５との間には、適宜単位幅と高さを持った天井板用野縁３を介しての間隙Ｇ２を隔してなる構造となっている。
【００１２】
更に、前記断熱板１の両面又は片面には、予めスリット状の縮み加工Ｃを施してあるので（本例では１０ｍｍ）、垂木４，４・・・間の間隔に若干のズレがあっても、施工に不具合が生じることはない。
【００１３】
上記屋根材敷設用野地合板２は、厚さ１２．５ｍｍの合板であり、棟から軒先まで連続するように、突き合わせて軒桁２０と棟木２１間に掛架した垂木４に張設される。該野地合板２は、棟位置で合掌部を離間させ、棟換気孔２３を構成すると共に、軒部は鼻隠し２４を設けた裏面側に軒天部吸気孔２５を構成してなる。
【００１４】
また上記野地合板２の裏面側に並設される一枚の断熱板１は、発泡ポリスチレンボード等の合成樹脂を発泡した比較的硬質のボードによって構成されると共に、該断熱板１の上面及び下面側に、それぞれ、垂木４、又は、野縁３によって断熱空間Ｇ１／Ｇ２をそれぞれ形成しており、高性能断熱構造を構成している。
【００１５】
尚、上記断熱発泡材１の下面には、補強用桟木７を適宜ピッチにて複数個固設してもよい。
上記補強用桟木７，７・・・は、換気通路付き高断熱屋根用パネル全体を裏面側から支承するための構造体であるだけでなく、例えば内壁ボード（図示せず）等の内装材を張設する際の下地材として利用することができる。
【００１６】
符号８は、垂木４に取り付けられる断熱発泡材１を支持するための受金具であって、施工時に該受け金具８に穿設した小孔９，９・・・を利用して釘を打設固定する。
【００１７】
尚、図中符号１０は発泡ウレタン樹脂等の可撓性を持った断熱材であり、現場施工により、外壁とパネル、或はパネル相互の間隙を埋めるものである。
【００１８】
また換気通路付き高断熱屋根用パネルを使用した前記施工例の説明では、換気通路Ｇ１の下端を軒天部吸気孔２５に連通開口する構造を示したが、該換気通路Ｇ１を壁中の通気路と連通した施工とすることもできる。
【００１９】
尚、上記してきた実施例は、建物の屋根・天井に係る断熱・遮熱構造を説明したものであるが、別の例として、建物の壁体についても同様に適用しうる。
即ち、図５に示すように、前述してきた垂木４と野地板２の関係を、縦胴縁１１と外壁１２の関係に、又、野縁３と天井板５の関係を、柱・間柱１３と内壁１４の関係に置き換えることも、基本的構造として全く同様であり、効果も又全く同様である。
従って、ここでは説明を実質的に繰り返ししても単に煩雑となりかねないと考えるので、敢えて詳細に説明することを省略する。
【００２０】
【発明の効果】
以上述べたように本発明に係る断熱・遮熱構造によれば、屋根材敷設用野地合板及び野縁を介しての天井板と合成樹脂発泡板材からなる一枚の断熱板により二つの間隙乃至空間を構成したことにより、野地合板乃至天井板を架設すると棟換気用の換気通路が構成され、また断熱層も構成される。
【００２１】
このため、屋根の造作が非常に簡単になり、結果的に材料及び現場作業工数を減少して建築費用を引き下げることが可能になる。
また、本発明の換気通路付き高断熱屋根用パネルは、内装下地材も兼用可能になる断熱パネルであるため、内装費用も引き下げることが可能となる等の優れた特徴を有するものであり、本発明実施後の効果は極めて大きい。
【図面の簡単な説明】
【図１】本発明に係る換気通路付き高断熱屋根用パネルを使用した屋根構造を示す、一部切欠した要部拡大図である。
【図２】同断熱屋根用パネルと垂木の関係のみを示す拡大斜視図である。
【図３】換気通路付き高断熱屋根用パネルに設けた受け金具の斜視図である。
【図４】換気通路付き高断熱屋根用パネルによる換気作用と断熱作用を示す説明図である。
【図５】同壁用とした場合の説明図である。
【符号の説明】
１　断熱発泡材
２　屋根材敷設用野地合板
３　野縁
４　垂木
５　天井板
６　アルミ薄板
７　補強用桟木
８　受け金具
９　小孔
１０　断熱材
１１　縦胴縁
１２　外壁
１３　柱・間柱
１４　内壁
２１　棟木
２５　軒天部吸気孔
Ｇ１　換気通路
Ｇ２　間隙
ａ、ｂ　アルミ薄板
Ｃ　　スリット状縮み加工
【図１】
2004036255.tif 000003
【図２】
2004036255.tif 000004
【図３】
2004036255.tif 000005
【図４】
2004036255.tif 000006
【図５】
2004036255.tif 000007